(57)【要約】【課題】送付物が封筒に封入された封入体の開封率を高める。【解決手段】印刷物対を構成する２つのダイレクトメール１０，２０のうち、一方のダイレクトメール２０の一部となる組み込みタグ２１が他方のダイレクトメール１０に組み込まれる構成とし、また、ダイレクトメール１０及び組み込みタグ２１にはそれぞれ、組み込みタグ２１がダイレクトメール１０に組み込まれた場合に互いに重ね合わされることによりバーコード情報を表現する情報１６，２２をそれぞれ印刷する。【選択図】　図１
2004074575.tif 000002
【特許請求の範囲】
【請求項１】
２つの印刷物にそれぞれ印刷された情報を組み合わせることにより所定の情報を伝達する情報伝達方法であって、
前記２つの印刷物に印刷された情報は、前記２つの印刷物のうち一方の印刷物が他方の印刷物に組み込まれた場合に互いに重ね合わされることによりコード情報を表現する情報であることを特徴とする情報伝達方法。
【請求項２】
互いに組み合わせることにより所定の情報が表現される情報がそれぞれ印刷された２つの印刷物からなる印刷物対であって、
前記２つの印刷物は、一方の印刷物が他方の印刷物に組み込まれる構成を有するとともに、前記一方の印刷物が他方の印刷物に組み込まれた場合に互いに重ね合わされることによりコード情報を表現する情報がそれぞれ印刷されていることを特徴とする印刷物対。
【請求項３】
請求項２に記載の印刷物対において、
前記一方の印刷物には凹部が形成され、
前記他方の印刷物は、前記凹部にはめ込みが可能な略同一の形状、もしくは前記凹部にはめ込みが可能な略同一の形状の凸部を有し、
前記２つの印刷物は、前記一方の印刷物に前記他方の印刷物がはめ込まれた際に少なくとも一方の面から前記コード情報が見えるように、少なくとも一方が透明フィルム部を有することを特徴とする印刷物対。
【請求項４】
請求項２または請求項３に記載の印刷物対において、
前記２つの印刷物のうち、一方の印刷物に不変コード情報が印刷され、他方の印刷物に可変コード情報が印刷されていることを特徴とする印刷物対。
【発明の詳細な説明】
【０００１】
【発明の属する技術分野】
本発明は、情報伝達方法に関し、特に、２つの印刷物によって提供される情報を組み合わせることにより所定の情報を伝達する情報伝達方法及びこの２つの印刷物からなる印刷物対に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒等に封入、封緘され、封入体として受取人に送付されている。
【０００３】
このような封入体は、受取人が封筒を開封して封筒等に封入された送付物を閲覧することによって、差出人が通知したい情報が受取人に通知されることになる。
【０００４】
【発明が解決しようとする課題】
しかしながら、上述したように送付物が封筒に封入された従来の封入体においては、受取人が封筒を開封して封筒等に封入された送付物を閲覧することによって、差出人が通知したい情報が受取人に通知されるため、受取人が封筒を開封せずに捨ててしまった場合等、受取人が封筒を開封しない状態においては、差出人が通知したい情報を受取人に通知することができず、また、その場合、封入体の作成にかかる手間及びコスト、並びにこの封入体を郵送した場合は郵送にかかるコストが無駄になってしまうという問題点がある。
【０００５】
本発明は、上述したような従来の技術が有する問題点に鑑みてなされたものであって、送付物が封筒に封入された封入体の開封率を高めることができる情報伝達方法及び印刷物対を提供することを目的とする。
【０００６】
【課題を解決するための手段】
上記目的を達成するために本発明は、
２つの印刷物にそれぞれ印刷された情報を組み合わせることにより所定の情報を伝達する情報伝達方法であって、
前記２つの印刷物に印刷された情報は、前記２つの印刷物のうち一方の印刷物が他方の印刷物に組み込まれた場合に互いに重ね合わされることによりコード情報を表現する情報であることを特徴とする。
【０００７】
また、互いに組み合わせることにより所定の情報が表現される情報がそれぞれ印刷された２つの印刷物からなる印刷物対であって、
前記２つの印刷物は、一方の印刷物が他方の印刷物に組み込まれる構成を有するとともに、前記一方の印刷物が他方の印刷物に組み込まれた場合に互いに重ね合わされることによりコード情報を表現する情報がそれぞれ印刷されていることを特徴とする。
【０００８】
また、前記一方の印刷物には凹部が形成され、
前記他方の印刷物は、前記凹部にはめ込みが可能な略同一の形状、もしくは前記凹部にはめ込みが可能な略同一の形状の凸部を有し、
前記２つの印刷物は、前記一方の印刷物に前記他方の印刷物がはめ込まれた際に少なくとも一方の面から前記コード情報が見えるように、少なくとも一方が透明フィルム部を有することを特徴とする。
【０００９】
また、前記２つの印刷物のうち、一方の印刷物に不変コード情報が印刷され、他方の印刷物に可変コード情報が印刷されていることを特徴とする。
【００１０】
（作用）
上記のように構成された本発明においては、互いに組み合わせることにより所定の情報が表現される情報がそれぞれ印刷された２つの印刷物のうち、一方の印刷物が他方の印刷物に組み込まれる構成となっており、また、２つの印刷物にはそれぞれ、一方の印刷物が他方の印刷物に組み込まれた場合に互いに重ね合わされることによりバーコード情報あるいは二次元コードを表現する情報がそれぞれ印刷されている。
【００１１】
このように構成された２つの印刷物を組み合わせることにより所定の情報が表現されるので、所定の情報を得るために、これらの印刷物が封入された封入体の開封率が高まる。
【００１２】
また、２つの印刷物にそれぞれ印刷された情報が、一方の印刷物が他方の印刷物に組み込まれることにより重ね合わされてバーコード情報あるいはコード情報が表現されることになるので、２つの印刷物にそれぞれ印刷された情報の正確な位置合わせが可能となり、バーコード情報や二次元コードのような精細なコード情報を表現することができる。
【００１３】
また、２つの印刷物のうち、一方の印刷物に不変コード情報を印刷し、他方の印刷物に可変コード情報を印刷すれば、不変コード情報を、印刷物対を構成する一方の印刷物に共通に印刷することができ、他方の可変コード情報を印刷した複数の印刷物に組み合わせて適用できる。
【００１４】
【発明の実施の形態】
以下に、本発明の実施の形態について図面を参照して説明する。
【００１５】
（第１の実施の形態）
図１は、本発明の印刷物対及びそれを用いた情報伝達方法の第１の実施の形態を説明するための図であり、（ａ）は印刷物対のうち一方の印刷物の構成を示す図、（ｂ）は（ａ）に示したＡ−Ａ’断面図、（ｃ）は（ａ）に示した印刷物から剥離部を除去した状態を示す図、（ｄ）は（ｃ）に示したＡ−Ａ’断面図、（ｅ）は印刷物のうち他方の印刷物の構成を示す図、（ｆ）は（ａ）に示した印刷物に（ｅ）に示した印刷物の一部を組み合わせた状態を示す図、（ｇ）は（ｆ）に示したＡ−Ａ’断面図である。
【００１６】
本形態における印刷物対は図１に示すように、２つの印刷物であるダイレクトメール１０，２０から構成されている。
【００１７】
印刷物対を構成する一方の印刷物であるダイレクトメール１０は、紙層１２ａの一部に、フィルム層１４ａ，１４ｂ及び紙層１２ｂが接着層１３ａ〜１３ｃを介して積層された構成となっている。なお、接着層１３ａ〜１３ｃのうち、接着層１３ｂは剥離可能な擬似接着剤から構成されている。また、紙層１２ａにフィルム層１４ａ，１４ｂ及び紙層１２ｂが積層される領域においては、紙層１２ａ及びフィルム層１４ａにスリット１５が設けられており、それにより、紙層１２ａ及びフィルム層１４ａが剥離可能な剥離部１１が形成されている。なお、フィルム層１４ａ，１４ｂのうち少なくともフィルム層１４ｂは透明フィルムから構成されている。また、紙層１２ｂには、ダイレクトメール１０の剥離部１１が除去された領域にダイレクトメール２０の一部が組み込まれた場合にダイレクトメール２０の一部に印刷された情報と組み合わされることによりバーコード情報を表現する情報１６が印刷されている。
【００１８】
また、印刷物対を構成する他方の印刷物であるダイレクトメール２０には、ダイレクトメール１０の剥離部１１が除去された領域と同等の大きさを有し、該領域に組み込み可能な透明フィルムからなる組み込みタグ２１が取り付けられており、さらに、組み込みタグ２１には、ダイレクトメール１０の剥離部１１が除去された領域に組み込みタグ２１が組み込まれた場合にダイレクトメール１０に印刷された情報１６と組み合わされることによりバーコード情報を表現する情報２２が印刷されている。
【００１９】
以下に、上記のように構成された印刷物対を用いた情報伝達方法について説明する。
【００２０】
まず、ダイレクトメール１０を封筒（不図示）から取り出し、ダイレクトメール１０の剥離部１１をスリット１５によって除去すると、図１（ｃ）に示すように、剥離部１１が除去された領域において、紙層１２ｂに印刷された情報１６がフィルム層１４ｂを介して視認可能となる。
【００２１】
次に、ダイレクトメール２０を封筒（不図示）から取り出し、ダイレクトメール２０から組み込みタグ２１を取り外し、組み込みタグ２１を、ダイレクトメール１０の剥離部１１が除去された領域に組み込む。すると、図１（ｆ）に示すように、ダイレクトメール１０の紙層１２ｂに印刷された情報１６と、組み込みタグ２１に印刷された情報２２とによりバーコード情報が表現される。ここで、組み込みタグ２１は透明フィルムから構成されているため、バーコード情報は、組み込みタグ２１が組み込まれた側から視認可能となる。
【００２２】
このように、ダイレクトメール１０の紙層１２ｂに印刷された情報１６と、組み込みタグ２１に印刷された情報２２とが、組み込みタグ２１がダイレクトメール１０の剥離部１１が除去された領域に組み込まれることにより重ね合わされてバーコード情報が表現されることになるため、ダイレクトメール１０の紙層１２ｂに印刷された情報１６と、組み込みタグ２１に印刷された情報２２との正確な位置合わせが可能となり、バーコード情報のような精細な情報を表現することができる。
【００２３】
その後、例えば、ダイレクトメール１０の紙層１２ｂに印刷された情報１６と、組み込みタグ２１に印刷された情報２２とによって表現されたバーコード情報を携帯端末（不図示）等を用いて読み取り、予め決められた送信先に送信し、所定のサービスを受けることも考えられる。
【００２４】
なお、バーコード情報は、全てのバーコード情報に共通となる不変コード部と、バーコード情報毎に異なる可変コード部とから構成されているため、不変コード部を情報１６，２２の一方として印刷し、可変コード部を情報１６，２２の他方として印刷すれば、不変コード部となる情報を全てのダイレクトメールにて共通に印刷することができ、さらに、可変コード部となる情報が印刷された他方の印刷物が複数ある場合でも、不変コード部を有する印刷物が１つあれば、それに組み合わせることができる。
【００２５】
また、本形態においては、ダイレクトメール１０の紙層１２ｂに印刷された情報１６と、組み込みタグ２１に印刷された情報２２とを、互いに組み合わされることによりバーコード情報を表現するような情報としたが、コード情報としては、バーコード情報の他に二次元コード等があり、互いに組み合わされることにより二次元コードを表現するような情報とすることも考えられる。その場合においても、バーコード情報の場合と同様に、二次元コードの不変コード部を情報１６，２２の一方として印刷し、二次元コードの可変コード部を情報１６，２２の他方として印刷すれば、不変コード部となる情報を全てのダイレクトメールにて共通に印刷することができる。
【００２６】
（第２の実施の形態）
図２は、本発明の印刷物対及びそれを用いた情報伝達方法の第２の実施の形態を説明するための図であり、（ａ）は印刷物対のうち一方の印刷物の構成を示す図、（ｂ）は（ａ）に示したＡ−Ａ’断面図、（ｃ）は（ａ）に示した印刷物から剥離部を除去した状態を示す図、（ｄ）は（ｃ）に示したＡ−Ａ’断面図、（ｅ）は印刷物のうち他方の印刷物の構成を示す図、（ｆ）は（ａ）に示した印刷物に（ｅ）に示した印刷物を組み合わせた状態を示す図、（ｇ）は（ｆ）に示したＡ−Ａ’断面図である。
【００２７】
本形態における印刷物対は図２に示すように、２つの印刷物であるダイレクトメール１１０と、組み込みタグ１２１とから構成されている。
【００２８】
印刷物対を構成する一方の印刷物であるダイレクトメール１１０は、紙層１１２ａの一部に、フィルム層１１４ａ，１１４ｂが接着層１１３ａ，１１３ｂを介して積層された構成となっている。なお、接着層１１３ａ，１１３ｂのうち、接着層１１３ｂは剥離可能な擬似接着剤から構成されている。また、紙層１１２ａにフィルム層１１４ａ，１１４ｂが積層される領域においては、紙層１１２ａ及びフィルム層１１４ａにスリット１１５が設けられており、それにより、紙層１１２ａ及びフィルム層１１４ａが剥離可能な剥離部１１１が形成されている。なお、フィルム層１１４ａ，１１４ｂのうち少なくともフィルム層１１４ｂは透明フィルムから構成されている。また、フィルム層１１４ｂには、ダイレクトメール１１０の剥離部１１１が除去された領域にダイレクトメール１２０の一部が組み込まれた場合にダイレクトメール１２０の一部に印刷された情報と組み合わされることによりバーコード情報を表現する情報１１６が印刷されている。
【００２９】
また、印刷物対を構成する他方の印刷物である組み込みタグ１２１は、ダイレクトメール１１０の剥離部１１１が除去された領域と同等の大きさを有し、該領域に組み込み可能な形状であり、さらに、組み込みタグ１２１の一方の面には、ダイレクトメール１１０の剥離部１１１が除去された領域に組み込みタグ１２１が組み込まれた場合にダイレクトメール１１０に印刷された情報１１６と組み合わされることによりバーコード情報を表現する情報１２２が印刷されている。
【００３０】
以下に、上記のように構成された印刷物対を用いた情報伝達方法について説明する。
【００３１】
まず、ダイレクトメール１１０を封筒（不図示）から取り出し、ダイレクトメール１１０の剥離部１１１をスリット１１５によって除去すると、図２（ｃ）に示すように、剥離部１１１が除去された領域において、フィルム層１１４ｂに印刷された情報１１６が視認可能となる。
【００３２】
次に、組み込みタグ１２１を、ダイレクトメール１１０の剥離部１１１が除去された領域に組み込む。すると、図２（ｆ）に示すように、ダイレクトメール１１０のフィルム層１１４ｂに印刷された情報１１６と、組み込みタグ１２１に印刷された情報１２２とによりバーコード情報が表現される。ここで、ダイレクトメール１１０のフィルム層１１４ｂは透明フィルムから構成されているため、バーコード情報は、ダイレクトメール１１０の裏面側から視認可能となる。
【００３３】
このように、ダイレクトメール１１０のフィルム層１１４ｂに印刷された情報１１６と、組み込みタグ１２１に印刷された情報１２２とが、組み込みタグ１２１がダイレクトメール１１０の剥離部１１１が除去された領域に組み込まれることにより重ね合わされてバーコード情報が表現されることになるため、ダイレクトメール１１０のフィルム層１１４ｂに印刷された情報１１６と、組み込みタグ１２１に印刷された情報１２２との正確な位置合わせが可能となり、バーコード情報のような精細な情報を表現することができる。
【００３４】
その後、例えば、ダイレクトメール１１０のフィルム層１１４ｂに印刷された情報１１６と、組み込みタグ１２１に印刷された情報１２２とによって表現されたバーコード情報を携帯端末（不図示）等を用いて読み取り、予め決められた送信先に送信し、所定のサービスを受けることも考えられる。
【００３５】
なお、バーコード情報は、全てのバーコード情報に共通となる不変コード部と、バーコード情報毎に異なる可変コード部とから構成されているため、不変コード部を情報１１６，１２２の一方として印刷し、可変コード部を情報１１６，１２２の他方として印刷すれば、不変コード部となる情報を全てのダイレクトメールにて共通に印刷することができる。
【００３６】
また、本形態においては、ダイレクトメール１１０のフィルム層１１４ｂに印刷された情報１１６と、組み込みタグ１２１に印刷された情報１２２とを、互いに組み合わされることによりバーコード情報を表現するような情報としたが、互いに組み合わされることにより二次元コードを表現するような情報とすることも考えられる。その場合においても、バーコード情報の場合と同様に、二次元コードの不変コード部を情報１１６，１２２の一方として印刷し、二次元コードの可変コード部を情報１１６，１２２の他方として印刷すれば、不変コード部となる情報を共通に印刷することができる。
【００３７】
（第３の実施の形態）
図３は、本発明の印刷物対及びそれを用いた情報伝達方法の第３の実施の形態を説明するための図であり、（ａ）は印刷物対のうち一方の印刷物の構成を示す図、（ｂ）は（ａ）に示したＡ−Ａ’断面図、（ｃ）は印刷物のうち他方の印刷物の構成を示す図、（ｄ）は（ｃ）に示したＡ−Ａ’断面図、（ｅ）は（ａ）に示した印刷物に（ｃ）に示した印刷物の一部を組み合わせた状態を示す図、（ｆ）は（ｅ）に示したＡ−Ａ’断面図である。
【００３８】
本形態における印刷物対は図３に示すように、２つの印刷物であるダイレクトメール２１０，２２０から構成されている。
【００３９】
印刷物対を構成する一方の印刷物であるダイレクトメール２１０は、紙層２１２ａの一部に、紙層２１２ｂが接着層２１３を介して積層された構成となっており、また、紙層２１２ｂには、紙層２１２ｂが積層された領域にダイレクトメール２２０の一部が組み合わされた場合にダイレクトメール２２０の一部に印刷された情報と組み合わされることによりバーコード情報を表現する情報２１６が印刷されている。
【００４０】
また、印刷物対を構成する他方の印刷物であるダイレクトメール２２０は、紙層２２４の一部にダイレクトメール２１０の紙層２１２ｂと同等の大きさを有する穴部２２６が形成された構成となっており、また、穴部２２６を覆うように透明フィルムからなるフィルム層２２５が接着層２２６を介して紙層２２４に積層されている。さらに、紙層２２４には、フィルム層２２５の外側にミシン目２２３が設けられており、ミシン目２２３によってダイレクトメール２２０から切断される領域が、ダイレクトメール２１０の紙層２１２ｂが積層された領域に組み合わされる組み合わせタグ２２１となる。また、フィルム層２２５には、ダイレクトメール２１０の紙層２１２ｂが積層された領域に組み合わせタグ２２１が組み合わされた場合にダイレクトメール２１０に印刷された情報２１６と組み合わされることによりバーコード情報を表現する情報２２２が印刷されている。
【００４１】
以下に、上記のように構成された印刷物対を用いた情報伝達方法について説明する。
【００４２】
まず、ダイレクトメール２２０を封筒（不図示）から取り出し、ダイレクトメール２２０の組み合わせタグ２２１をミシン目２２３によってダイレクトメール２２０から切断する。
【００４３】
次に、組み合わせタグ２２１を、ダイレクトメール２１０の紙層２１２ｂが積層された領域に組み合わせる。すると、図３（ｅ）に示すように、ダイレクトメール２１０の紙層２１２ｂに印刷された情報２１６と、組み合わせタグ２２１のフィルム層２２５に印刷された情報２２２とによりバーコード情報が表現される。ここで、組み合わせタグ２２１のフィルム層２２５は透明フィルムから構成されているため、バーコード情報は、ダイレクトメール２１０の表面側から視認可能となる。
【００４４】
このように、ダイレクトメール２１０の紙層２１２ｂに印刷された情報２１６と、組み合わせタグ２２１のフィルム層２２５に印刷された情報２２２とが、組み合わせタグ２２１の紙層２２４の穴部２２６によって形成された凹部がダイレクトメール２１０の紙層２１２ｂが積層されることにより形成された凸部に組み合わされることにより重ね合わされてバーコード情報が表現されることになるため、ダイレクトメール２１０の紙層２１２ｂに印刷された情報２１６と、組み合わせタグ２２１のフィルム層２２５に印刷された情報２２２との正確な位置合わせが可能となり、バーコード情報のような精細な情報を表現することができる。
【００４５】
その後、例えば、ダイレクトメール２１０の紙層２１２ｂに印刷された情報２１６と、組み合わせタグ２２１のフィルム層２２５に印刷された情報２２２とによって表現されたバーコード情報を携帯端末（不図示）等を用いて読み取り、予め決められた送信先に送信し、所定のサービスを受けることも考えられる。
【００４６】
なお、バーコード情報は、全てのバーコード情報に共通となる不変コード部と、バーコード情報毎に異なる可変コード部とから構成されているため、不変コード部を情報２１６，２２２の一方として印刷し、可変コード部を情報２１６，２２２の他方として印刷すれば、不変コード部となる情報を全てのダイレクトメールにて共通に印刷することができる。
【００４７】
また、本形態においては、ダイレクトメール２１０の紙層２１２ｂに印刷された情報２１６と、組み合わせタグ２２１のフィルム層２２５に印刷された情報２２２とが、互いに組み合わされることによりバーコード情報を表現するような情報としたが、互いに組み合わされることにより二次元コードを表現するような情報とすることも考えられる。その場合においても、バーコード情報の場合と同様に、二次元コードの不変コード部を情報２１６，２２２の一方として印刷し、二次元コードの可変コード部を情報２１６，２２２の他方として印刷すれば、不変コード部となる情報を全てのダイレクトメールにて共通に印刷することができる。
【００４８】
なお、凹部を有する印刷物に組み込む他方の印刷物の形状は、凹部を有する印刷物と略同一の形状であることが好ましい。ここで、略同一の形状とは、組み込んだ際にコード情報が表現されるように、例えば、縦方向と横方向の一部が凹部の寸法にほぼ同一であれば、凹部の形状と必ずしも一致する必要はなく、また、凹部に対する他方の印刷物の寸法は、バーコードや二次元コードなどのコード情報が、組み込んだ際に読取装置にて読取可能なずれの範囲で設定され、コードのサイズにより適宜設定される。
【００４９】
【発明の効果】
以上説明したように本発明においては、２つの印刷物にそれぞれ印刷された情報を組み合わせることにより所定の情報を伝達する情報伝達方法及びそれに用いられる印刷物対において、印刷物対を構成する２つの印刷物のうち、一方の印刷物が他方の印刷物に組み込まれる構成とし、また、２つの印刷物にはそれぞれ、一方の印刷物が他方の印刷物に組み込まれた場合に互いに重ね合わされることによりバーコード情報あるいは二次元コードを表現する情報をそれぞれ印刷しているため、所定の情報を得るために、これらの印刷物が封入された封入体の開封率を高めることができる。
【００５０】
また、２つの印刷物にそれぞれ印刷された情報が、一方の印刷物が他方の印刷物に組み込まれることにより重ね合わされてバーコード情報あるいはコード情報が表現されることになるため、２つの印刷物にそれぞれ印刷された情報の正確な位置合わせが可能となり、バーコード情報や二次元コードのような精細な情報を表現することができる。
【００５１】
また、２つの印刷物のうち、一方の印刷物に不変コード情報を印刷し、他方の印刷物に可変コード情報を印刷したものにおいては、不変コード情報を、印刷物対を構成する一方の印刷物に共通に印刷することができる。
【図面の簡単な説明】
【図１】本発明の印刷物対及びそれを用いた情報伝達方法の第１の実施の形態を説明するための図であり、（ａ）は印刷物対のうち一方の印刷物の構成を示す図、（ｂ）は（ａ）に示したＡ−Ａ’断面図、（ｃ）は（ａ）に示した印刷物から剥離部を除去した状態を示す図、（ｄ）は（ｃ）に示したＡ−Ａ’断面図、（ｅ）は印刷物のうち他方の印刷物の構成を示す図、（ｆ）は（ａ）に示した印刷物に（ｅ）に示した印刷物の一部を組み合わせた状態を示す図、（ｇ）は（ｆ）に示したＡ−Ａ’断面図である。
【図２】本発明の印刷物対及びそれを用いた情報伝達方法の第２の実施の形態を説明するための図であり、（ａ）は印刷物対のうち一方の印刷物の構成を示す図、（ｂ）は（ａ）に示したＡ−Ａ’断面図、（ｃ）は（ａ）に示した印刷物から剥離部を除去した状態を示す図、（ｄ）は（ｃ）に示したＡ−Ａ’断面図、（ｅ）は印刷物のうち他方の印刷物の構成を示す図、（ｆ）は（ａ）に示した印刷物に（ｅ）に示した印刷物を組み合わせた状態を示す図、（ｇ）は（ｆ）に示したＡ−Ａ’断面図である。
【図３】本発明の印刷物対及びそれを用いた情報伝達方法の第３の実施の形態を説明するための図であり、（ａ）は印刷物対のうち一方の印刷物の構成を示す図、（ｂ）は（ａ）に示したＡ−Ａ’断面図、（ｃ）は印刷物のうち他方の印刷物の構成を示す図、（ｄ）は（ｃ）に示したＡ−Ａ’断面図、（ｅ）は（ａ）に示した印刷物に（ｃ）に示した印刷物の一部を組み合わせた状態を示す図、（ｆ）は（ｅ）に示したＡ−Ａ’断面図である。
【符号の説明】
１０，２０，１１０，２１０，２２０　　ダイレクトメール
１１，１１１　　剥離部
１２ａ，１２ｂ，１１２，２１２ａ，２１２ｂ，２２４　　紙層
１３ａ〜１３ｃ，１１３ａ，１１３ｂ，２１３，２２６　　接着層
１４ａ，１４ｂ，１１４ａ，１１４ｂ，２２５　　フィルム層
１５，１１５　　スリット
１６，２２，１１６，１２２，２１６，２２２　　情報
２１，１２１　　組み込みタグ
２２１　　組み合わせタグ
２２３　　ミシン目
２２６　　穴部
【図１】
2004074575.tif 000003
【図２】
2004074575.tif 000004
【図３】
2004074575.tif 000005